(57)【要約】【課題】使用者が洗濯装置に付ききりで洗い行程だけなどの短時間の運転を行う場合において、情報端末装置にて適切な運転終了画面を表示する洗濯システムを提供すること。【解決手段】洗濯乾燥装置１と洗濯乾燥装置の運転状態を確認する情報端末装置３５と、洗濯乾燥装置と情報端末装置は両者間でデータを送受信するデータ通信手段２８ａ、２８ｂを、情報端末装置は洗濯乾燥装置の運転状態などを表示する表示手段２９とを備え、情報端末装置は、運転に要した時間が所定時間未満の場合、運転終了画面を表示しないようにしたため、使用者に対して既知の終了報知をしないので使い勝手向上が可能となる。【選択図】図３
2005205061.tif 000002
【特許請求の範囲】
【請求項１】
洗濯装置の運転状態を確認する情報端末装置を備えた洗濯システムであり、前記洗濯装置と前記情報端末装置は運転状態などのデータを送信または受信するデータ通信手段をおのおの備え、前記情報端末装置は前記洗濯装置の運転状態などを表示する表示手段を備え、前記情報端末装置は、前記洗濯装置の運転終了時に、運転コースに要した時間が所定時間に満たない場合は前記表示手段に運転終了画面を表示しない洗濯システム。
【請求項２】
情報端末装置は、前記洗濯装置の運転コースに要した時間と比較する時間を設定する比較時間設定手段を備えた請求項１記載の洗濯システム。
【請求項３】
洗濯装置は洗濯および乾燥の逐次制御を行い、情報端末装置は、前記洗濯装置にて脱水行程または乾燥工程を最後とした運転コースを終えた場合、前記表示手段に運転終了画面を表示する請求項１記載の洗濯システム。
【請求項４】
情報端末装置は、運転終了画面を表示するか否かを設定する画面表示設定手段を備え、前記情報端末装置は、前記画面表示手段にて運転終了画面を表示する設定を行った場合、前記表示手段に一義的に運転終了画面を表示するようにした請求項１記載の洗濯システム。
【請求項５】
請求項１〜４のいずれか記載の洗濯システムにて少なくとも一つの手段をコンピュータに実行させるためのプログラム。
【発明の詳細な説明】
【技術分野】
【０００１】
本発明は、洗濯装置をネットワーク接続された情報端末装置より機器の状態を確認するシステムおよびそのプログラムに関するものである。
【背景技術】
【０００２】
近年、通信回線を利用して（予めサービス契約をした企業の）センターサーバとの間で、宅内機器の状態データをセンターサーバに送信し、センターサーバから宅内機器の拡張機能用データをダウンロードし、一方、宅内機器との間で、宅内機器から機器状態データを受信して閲覧し、宅内機器へ運転コースなどの機器制御データを送信して機器の運転コース内容を自由に設定したり、機器の電源入り切りなど機器制御を行う情報端末装置が普及し始めている（例えば特許文献１参照）。
【０００３】
さらに、最近では、情報端末装置と洗濯装置からなる洗濯システムにおいて、使用者が通信回線（インターネットなど）を利用して（洗濯装置の製造元である）企業のセンターサーバから好みの運転コースを情報端末装置にダウンロードし、ダウンロードした運転コースを洗濯装置に転送して実行する構成も提案されており、以下、その構成について説明する（例えば特許文献２参照）。
【０００４】
図１０は従来この種の洗濯システムのシステムブロック図であり、１は洗濯乾燥装置、２は情報端末装置である。これら洗濯乾燥装置１と情報端末装置２との間は、後述する無線による通信手段によって通信が行われる。
【０００５】
図１１は洗濯乾燥装置１の縦断面図である。図に示すように、筐体３は、内部に、複数のサスペンション４によって外槽５を弾性的に吊支し、運転時の振動をサスペンション４によって吸収する構成としている。外槽６の内部には、回転中心軸を鉛直方向に有し洗濯物および乾燥対象物（以下、衣類という）を収容する内槽６を回転自在に支持し、内槽６の内底部に衣類を攪拌する回転翼７を回転自在に設けている。回転翼７は、外周が傾斜面形状の鍋型に形成している。
【０００６】
内槽６の内部周壁には多数の小孔（図示せず）を設け、その上方には流体バランサ８を設けている。そして、外槽５および内槽６の底部中心付近には、中空で二軸構造をしている洗濯・脱水軸９と、洗濯または脱水時により回転力の伝達を洗濯・脱水軸９に切り換えるクラッチ１０を設けている。モータ（駆動手段）１１は、外槽５に設け、クラッチ１０を介して内槽６または回転翼７を駆動するようにしている。
【０００７】
外槽５の下部から、伸縮自在の下部蛇腹状ホース１２を介して循環ダクト１３へと通路を構成し、循環ダクト１３の出口は乾燥用送風機（送風手段）１４の入口に連結している。乾燥用送風機１４の出口は通路１３ａに連結し、この通路１３ａ内に加熱手段であるヒータ１５を設け、通路１３ａに伸縮自在の上部蛇腹状ホース１６を連結している。上部蛇腹ホース１６は、内槽６へ向けて開口しており、内槽６は、内部周壁の小孔を通して外槽５に通じているので、これら通路は循環する経路を構成している。
【０００８】
内槽６の上部には開閉自在の内蓋１７を設けており、開閉検知手段１８は内蓋１７の開閉状態を常に把握している。また、内蓋１７の近傍には、伸縮自在の上部蛇腹状ホース１６からつづく温風噴出孔１９を開けている。冷却用送風機（冷却送風手段）２０は、筐体３の側面に取り付け、筐体３の内部に外気を導入できるように構成している。排水弁２１は外槽５内の水を排水するものであり、切換弁２２は循環路を切り換えるものである。
【０００９】
給水弁２３は内槽６内に給水するものであり、水位検知手段２４は外槽５内の水位を検知するものである。
【００１０】
洗濯乾燥制御手段２５は、マイクロコンピュータなどで構成し、水位検知手段２４、開閉検知手段１８の出力を入力し、操作手段２６により設定された設定内容に基づき、クラッチ１０、モータ１１、乾燥用送風機１４、ヒータ１５、冷却用送風機２０、排水弁２１、切換弁２２、給水弁２３などの動作を制御して洗濯および乾燥行程を制御する。
【００１１】
図１２は洗濯乾燥装置１の内部ブロック図であり、２７は洗濯乾燥制御手段２５の各種演算を行う演算部であり、２８ａはデータ通信手段で洗濯乾燥制御手段２５が把握している洗濯機乾燥装置１の運転状態および機器制御に関するデータを情報端末装置２との間で無線にて送受信するものである。なお、洗濯乾燥制御手段２５は、クラッチ１０、モータ１１、乾燥用送風機１４、ヒータ１５、冷却用送風機２０、排水弁２１、切換弁２２、給水弁２３などの外部負荷を制御するが図への表記を省略する。
【００１２】
図１３は情報端末装置２の内部ブロック図、図１４は情報端末装置２の正面図、図１５は後述する表示手段（液晶画面）に表示する画面内容の一例であり、２９はカラー画像も表示可能な液晶画面（表示手段）、３０は表示手段２９の画面上に設けた透明フィルム状のタッチパネル（入力設定手段）である。
【００１３】
図１５に示すように、例えば表示手段２９にて表示した表示内容２９ａにて、使用者が「スタートボタン（画像）」２９ｂを押下した場合、画面上に設けられたタッチパネル（入力設定手段）３０は（あたかも）ボタンを押下したかように出力を行う。３１はスピーカ（音声出力手段）であり確認音や警告音などのブザー音を吹鳴するものである。３２は情報端末装置２の制御手段であり入力設定手段３０からの出力を入力し、洗濯乾燥装置１の制御データをデータ通信手段２８ｂへ出力することにより洗濯乾燥装置１へ運転開始などの制御データを転送する。また、データ通信手段２８ｂにて洗濯乾燥装置１から（アンテナ部２８ｃを経由して）受け取った洗濯乾燥装置１の運転状態を表示手段２９にて表示し、音声出力手段３１にてブザー音を吹鳴させるものである。
【００１４】
上記構成において動作を説明する。
【００１５】
まず、洗い行程、すすぎ行程、脱水行程の３つの行程からなる洗濯行程と乾燥行程について、図１１を参照しながら説明する。内槽６に衣類３３を投入して操作部２６にて運転を開始すると、洗い行程では、給水弁２３を駆動し、水位検知手段２４により検知した水位が洗濯水位になるまで給水し、モータ１１を駆動して回転翼７を動作させ衣類３３を洗浄する。このとき、排水弁２１と切換弁２２は閉じている。
【００１６】
その後、排水弁２１を開いて排水し、再度給水し洗い行程と同様にして衣類を濯ぐすすぎ行程を経て、脱水行程では、衣類３３が入った内槽６を高速で回転させることによって生じる遠心力により、衣類３３が内槽６の内壁に押しつけられることになり、この遠心力で水分が衣類３３から分離されて脱水される。
【００１７】
洗濯行程を終え衣類３３を乾燥する乾燥行程では、切換弁２２を開いた状態で、乾燥用送風機１４の送風とヒータ１５の発熱により、上部蛇腹状ホース１６、温風噴出孔１９を通して内槽６へ乾いた温風が送り込まれる。
【００１８】
このとき、衣類３３、回転翼７の左右回転により跳ね上げられたり、その後落下したりしている状態であり、内槽６へ送り込まれた温風は、これら衣類の動きの隙間を通るときに衣類から水分を奪い、湿った状態で、内槽６から外槽５の内側へと出た後、下部蛇腹状ホース１２を通過し、切換弁２２を通過して循環ダクト１３へ至る。この流れを、図では矢線で示している。
【００１９】
湿気を含んだ温風が、外槽５の内壁や循環ダクト１３内を通過しているとき、冷却用送風機２０による外部空気の流入で、外槽５や循環ダクト１３の外壁は冷却されることになり、湿った空気の水分はその内壁に結露し、湿った温風は除湿されて、乾燥用送風機１４へと戻る。外槽５の内壁に結露した水分は、切換弁２２を通過して、循環ダクト１３の内壁に結露した水分とともに排水口３４より適宜排出される。
【００２０】
次に、洗濯乾燥装置１の機器状態を情報端末装置２にて確認する機器状態モニター機能について、図１２から図１８を参照しながら説明する。
【００２１】
図１２において、洗濯乾燥制御手段２５は洗濯乾燥装置１の洗い行程、すすぎ行程、脱水行程、乾燥行程の設定内容（例えば、洗い行程であれば洗い時間など）、および、開閉検知手段１８にて内蓋１７の開閉状態を常に把握しており、これらの設定内容に応じてモータ１１、ヒータ１５、給水弁２３を逐次制御する。一方で、洗濯乾燥制御手段２５は、これらの設定内容や現在進行中の行程、電源入り切りの状態など洗濯機乾燥装置１の運転状態に関するデータをデータ送信手段２８ａに出力し、データ送信手段２８ａは情報端末装置２のデータ送信手段２８ｂに対して（無線による）データ信号を出力する。
【００２２】
図１５において、情報端末装置２の制御手段３２はデータ送信手段２８ｂを介して洗濯乾燥装置１から運転状態に関するデータを受け取ることにより、常に洗濯乾燥装置１の運転状態を把握することが可能となり、表示手段２９に洗濯乾燥装置１の運転状態を表示する。
【００２３】
ここで、表示手段２９に表示する洗濯乾燥装置１の運転状態（特に行程表示）について説明するが、図１６のフローチャートに示すように、情報端末装置２の制御手段３２は洗濯乾燥装置１が運転コースを開始したことを知ると、Ｓ１にて運転コースに設定されている行程内容（この場合であれば）洗い行程、すすぎ行程、脱水行程、乾燥行程の設定内容に応じて一対一対応した行程マーク画像（図１５の２９ｄ〜２９ｇ）を表示手段２９に表示し、Ｓ２にて洗い行程を終えた事を検知すると、Ｓ３にて洗い行程を示すマーク画像２９ｄを消去し、以下、Ｓ４〜Ｓ９にて、すすぎ行程、脱水行程、乾燥行程を終えた時点で終了した行程に相当するマーク画像を消去し、全ての運転コース内容を終了した時点で、Ｓ１０にて運転終了画面（図１７の２９ｈ）を表示手段２９にポップアップ（割り込み）表示する。
【００２４】
ここで、ポップアップ（割り込み）表示について説明するが、図１８に示すように、近年の表示手段２９は（制御手段３２の出力設定により）通常の表示内容２９ａ（この場合は、洗濯乾燥装置１の運転状態の表示）に上書きせず覆い被さるように運転終了画面２９ｈを割り込み表示させることが可能であり、この割り込み表示の方法を一般的にポップアップ表示と呼んでいる。ポップアップ（割り込み）による表示は、洗濯乾燥装置１の運転コースの終了時や、洗濯乾燥装置１にて給水異常や排水異常などの異常が発生した場合など突発して発生した事象を使用者に知らしめる場合に用いられ、ポップアップ（割り込み）表示した画面（この場合は運転終了画面）２９ｈは、同じ画面上に設けられた（この場合）「確認（画像）」２９ｉを押下した場合、（画面上に設けられたタッチパネル（入力手段）３０を介して）割り込み表示した画面２９ｈは消去され、その下に隠れていた通常の表示画面２９ａが表示される。
【特許文献１】特開２００２−１８６０５７号公報
【特許文献２】特開２００３−４７０７４号公報
【発明の開示】
【発明が解決しようとする課題】
【００２５】
しかしながら、前記従来の構成では、例えば、使用者が脱衣所に設置している洗濯乾燥装置１の傍らに立ち会い（洗い行程だけを行うなど）短時間で終了する運転コースを行った場合、使用者は（洗濯乾燥装置１の傍らにいるので）例えば洗濯乾燥装置１が報知する終了ブザー音により運転コースの終了を容易に知ることできるが、運転終了時に洗濯乾燥制御手段２５は、洗い行程、すすぎ行程、脱水行程、乾燥行程の各行程データをクリアして情報端末装置２へ送信し、情報端末装置２の制御手段３２は、図１６のフローチャートに示したようにＳ２〜Ｓ９にて各行程の行程マーク画像を消去して、一義的に運転終了画面２９ｈを表示する。
【００２６】
この例で言えば、脱衣所にて洗濯乾燥装置１運転コースの終了を知った使用者は、居間に戻ると（居間の壁に設置されている）情報端末装置２の表示手段２９にて（わかりきった）運転終了画面２９ｈを見ることになるばかりか、表示手段２９に運転終了画面２９ｈを表示させることは運転終了画面を消去するための操作（図１７で言えば「確認」ボタン２９ｉの押下）を伴うため、余計な手間を増やし操作勝手を低下させる言う課題を有していた。
【００２７】
本発明は、前記従来の課題を解決するもので、使用者が洗濯乾燥装置１の傍らに立ち会うなどして（洗い行程だけを行うなど）短時間で終了する運転コースを行った場合においても、情報端末装置の表示手段に適切な内容を表示する洗濯システムを提供することを目的とする。
【課題を解決するための手段】
【００２８】
前記従来の課題を解決するために、本発明の洗濯システムおよびそのプログラムは、洗濯装置の運転コース終了時に、運転に要した時間が所定時間に満たない場合、前記表示手段に運転終了画面を表示しないようにしたものである。
【００２９】
これによって、使用者が洗濯装置の傍らに立ち会うなどして（洗い行程だけを行うなど）短時間で終了する運転コースを行った場合には、例えば洗濯装置が報知する終了ブザー音により運転コースの終了を知った使用者に改めて情報端末装置にて（わかりきった）運転終了画面を見せることもなくなり、さらに、余計な運転終了画面を消去する手間も軽減できるため操作勝手の向上を達成できる。
【発明の効果】
【００３０】
本発明の洗濯システムおよびそのプログラムは、洗濯装置の運転コース終了時に、運転に要した時間が所定時間に満たない場合、表示手段に運転終了画面を表示しないようにしたものであり、つまり、使用者が洗濯装置の傍らに立ち会うなどして（洗い行程だけを行うなど）短時間で終了する運転コースを行った場合には、洗濯装置が報知する運転終了ブザー音により運転の終了を知った使用者に対して、情報端末装置の表示画面にて（わかりきった）運転終了画面を改めて見せることもなくなり、さらに、余計な運転終了画面を消去する手間も軽減できるため操作勝手の向上を達成できる。
【００３１】
また、洗濯機において例えば白い衣服と黒い衣服を分け洗いする場合などに良く使用されるパターンとして、使用者が（白い衣類を洗い行程だけ行う）短時間の運転を行った後に、続けて（黒い衣類を洗う）別の運転を開始した場合、この例で言えば、後の運転を行っている（黒い衣類を洗っている）最中に、最初の運転を終えた（白い衣類を洗い終えた）旨を伝える運転終了画面を使用者が見ることにより、後の運転（黒い衣類を洗っている運転）が終えたと誤解するケースが非常に多いが、本発明の洗濯システムおよびそのプログラムでは、運転コースに要した時間が短い場合には、情報端末装置の表示画面では運転終了画面を表示しないので、このような誤解を防ぐことができる。
【発明を実施するための最良の形態】
【００３２】
第１の発明は、洗濯装置の運転状態を確認する情報端末装置を備えた洗濯システムであり、前記洗濯装置と前記情報端末装置は運転状態などのデータを送信または受信するデータ通信手段を、前記情報端末装置は前記洗濯装置の運転状態などを表示する表示手段とを備え、前記情報端末装置は、前記洗濯装置の運転終了時に、運転コースに要した時間が所定時間に満たない場合、前記表示手段に運転終了画面を表示しないようにしたことにより、使用者が洗濯装置の傍らに立ち会うなどして（洗い行程だけを行うなど）短時間で終了する運転コースを行った場合、洗濯装置が報知する運転終了ブザー音により運転の終了を知った使用者に対して、情報端末装置の表示画面にて（わかりきった）運転終了画面を改めて見せることもなくなり、さらに、余計な運転終了画面を消去する手間も軽減できるため操作勝手の向上を達成できる。
【００３３】
第２の発明は、特に、第１の発明の洗濯システムにて、情報端末装置は、洗濯装置の運転コースに要した時間と比較する時間を設定する比較時間設定手段を備えたことにより、つまり、短時間の運転と判断する時間を自由に設定できるため、洗濯機の設置される様々な環境下において、例えば、給水能力や排水能力に影響を受けて変動する運転コースのばらつきに対しても相応の比較時間を設定できる。
【００３４】
第３の発明は、特に、第１の発明の洗濯システムにて、洗濯装置は洗濯および乾燥の逐次制御を行い、情報端末装置は、前記洗濯装置にて脱水行程を最後とした運転コースを終えた場合、前記表示手段に運転終了画面を表示するようにしたことにより、最後が脱水行程である運転コースを終えた時点で使用者が洗濯装置の設置場所にいなかった場合にも、情報端末装置にて終了報知を行うので、脱水後の衣類が内槽内に放置されることにより（衣類自体の自重により）発生する衣類の脱水しわや夏場の内槽内の臭いを軽減することができる。
【００３５】
また、情報端末装置は、前記洗濯装置にて乾燥行程を最後とした運転コースを終えた場合、前記表示手段に運転終了画面を表示するようにしたことにより、情報端末装置は、前記洗濯装置にて乾燥行程を最後とした運転コースを終えた場合、前記表示手段に運転終了画面を表示するようにしたことにより、最後が乾燥行程である運転コースを終えた時点で使用者が洗濯装置の設置場所にいなかった場合にも、情報端末装置にて終了報知を行うので、乾燥後の衣類が内槽内に放置されることにより（衣類自体の自重により）発生する衣類のしわを軽減することができる。
【００３６】
第４の発明は、特に、第１の発明の洗濯システムにて、情報端末装置は、運転終了画面を表示するか否かを設定する画面表示設定手段を備え、前記情報端末装置は、前記画面表示手段にて運転終了画面を表示する設定を行った場合、前記表示手段に一義的に運転終了画面を表示するようにしたことにより、二世帯住宅や共同施設にて複数人が洗濯装置を共同利用するなどの理由から（たとえ使用者が運転の終了を知ったとしても、他の人に対して運転終了を知らしめなければならないケースにて）いかなる場合にも情報端末装置による運転終了の報知が必要な場合においても、画面表示設定手段の設定により運転終了画面の表示可否を選択することができる。
【００３７】
第５の発明は、特に、第１〜４のいずれか１つの発明の洗濯システムの機能の少なくとも一つをコンピュータに実現させるためのプログラムである。この構成によれば、洗濯システムは、洗濯装置の運転コース終了時に、運転に要した時間が所定時間に満たない場合、表示手段に運転終了画面を表示しないようにしたものであり、使用者が洗濯装置の傍らに立ち会い洗い行程だけを行うなど短時間で終了する運転コースを行った場合、情報端末装置の表示画面にて運転終了画面を表示しないことから余計な運転終了画面を消去する手間も軽減できる。また、プログラムであるので、電気・情報機器、コンピュータ、サーバー等のハードリソースを協働させて本発明の洗濯システムの少なくとも一部を容易に実現することができる。また記録媒体に記録したり通信回線を用いてプログラムを配信したりすることでプログラムの配布・更新やそのインストール作業が簡単にできる。
【００３８】
以下、本発明の実施の形態について、図面を参照しながら説明する。なお、この実施の形態によって本発明が限定されるものではない。なお、前記背景技術と同じ構成のものは同一符号を付して説明を省略する。
【００３９】
（実施の形態１）
図１は、本実施の形態１の洗濯システムのシステムブロック図、図２は、洗濯乾燥装置の内部ブロック図、図３は、情報端末装置の内部ブロック図、図４は、情報端末装置における制御手段の要部動作を示すフローチャートである。なお、情報端末装置３５、制御手段３６と表記している以外は従来の構成と同じである。
【００４０】
以上のように構成された洗濯システムについて、以下その動作、作用を説明する。
【００４１】
使用者が（従来の構成と同様に）洗濯乾燥装置１の操作部２６にて運転コースを開始すると、データ通信手段２８ａおよび２８ｂを介して、情報端末装置３５の制御手段３６は洗濯乾燥装置１が運転コースを開始したことを知り、図４に示したフローチャートのＳ１１にて運転時間の計測を開始する。Ｓ１にて運転コースに設定されている行程内容（この場合であれば）洗い行程、すすぎ行程、脱水行程、乾燥行程の設定内容に応じて一対一対応した行程マーク画像（表示手段２９に図１５の２９ｄ〜２９ｇ）を表示し、Ｓ２にて洗い行程を終えた事を検知すると、Ｓ３にて洗い行程を示すマーク画像２９ｄを消去し、以下、Ｓ４〜Ｓ９にて、すすぎ行程、脱水行程、乾燥行程を終えた時点で終了した行程に相当するマーク画像を消去し、全ての運転コース内容を終了した時点で、Ｓ１２にて運転時間の計測を終了する。
【００４２】
ここで、制御手段３６がＳ１３にて運転に要した時間（計測した運転時間）が５分未満であれば短時間の運転と判断して、つまり、使用者が洗濯乾燥装置１の傍らにおり運転の終了を洗濯乾燥装置１の終了ブザー吹鳴などにより知り得たと判断して、Ｓ１０の運転終了画面２９ｈの表示を行うことなく終了する。
【００４３】
これにより、使用者が洗濯乾燥装置の傍らに立ち会うなどして（洗い行程だけを行うなど）短時間で終了する運転コースを行った場合、洗濯乾燥装置が（図示はしないが）報知する運転終了ブザー音により運転の終了を知った使用者に対して、情報端末装置の表示画面にて（わかりきった）運転終了画面を改めて見せることもなくなり、さらに、余計な運転終了画面を消去する手間も軽減できるため操作勝手の向上を達成できる。
【００４４】
なお、本実施の形態では、データ送信手段２８ａおよび２８ｂは、洗濯乾燥装置１と情報端末装置３５との間で運転状態や制御データを双方向にて送受信するように示したが、洗濯乾燥装置１の運転状態のデータを情報端末装置３５に対して送信する片方向の通信形態をとっても構わない。
【００４５】
また、本実施の形態では、通信媒体として無線を用いているが、専用線による有線通信、電灯線搬送通信、赤外線通信、光ファイバ通信など、いずれの通信媒体を用いても同様の効果を有するものである。
【００４６】
さらに、本実施の形態では、運転コースが短時間の運転と判断した時間を５分と具体的に示したが、この値は本発明を限定するものではない。
【００４７】
（実施の形態２）
図５は、本実施の形態２の情報端末装置３５の内部ブロック図、図６は、情報端末装置３５における制御手段３６の要部動作を示すフローチャートである。なお、情報端末装置の内部ブロック図にて、３７は運転コースが短時間の運転か否かを判断する際に運転時間と比較する比較時間を設定する比較時間設定手段であり、運転コースの開始前に比較時間を設定しておく。その他は実施の形態１と同じ構成である。
【００４８】
以上のように構成された洗濯乾燥システムについて、以下その動作、作用を説明する。
【００４９】
使用者が（本発明の実施の形態１と同様に）洗濯乾燥装置１の運転コースを開始すると、Ｓ１からＳ１２までの説明は省略するが、Ｓ１４にてあらかじめ比較時間設定手段３７にて設定された比較時間を呼出し、Ｓ１５にて運転に要した時間（計測した運転時間）と比較時間とを比べて、運転時間の値が比較時間の値に満たない場合であれば短時間の運転と判断して、つまり、使用者が洗濯乾燥装置１の傍らにおり運転の終了を洗濯乾燥装置１の終了ブザー吹鳴などにより知り得たと判断して、Ｓ１０の運転終了画面２９ｈの表示を行うことなく終了する。
【００５０】
これにより、つまり、短時間の運転と判断する時間を自由に設定できるため、洗濯機の設置される様々な環境下において、例えば、給水能力や排水能力に影響を受けて変動する運転コースのばらつきに対しても相応の比較時間を設定できる。
【００５１】
（実施の形態３）
図７は、本実施の形態３の情報端末装置３５における制御手段３６の要部動作を示すフローチャートである。なお、情報端末装置の内部ブロック図は実施の形態１と同じ構成である。
【００５２】
以上のように構成された洗濯システムについて、以下その動作、作用を説明する。
【００５３】
使用者が（本発明の実施の形態１と同様に）洗濯乾燥装置１の運転コースを開始すると、Ｓ１からＳ１２までの説明は省略するが、Ｓ１６にて今回行った運転コースの内容にて最後に行った行程が「脱水行程」であった場合には（運転コースがが短時間の運転であったか否かは関係なく）Ｓ１０にて表示手段２９に運転終了画面２９ｈの表示して終了する。
【００５４】
これにより、最後が脱水行程である運転コースを終えた時点で使用者が洗濯乾燥装置の設置場所にいなかった場合にも、情報端末装置にて終了報知を行うので、脱水後の衣類が内槽内に放置されることにより（衣類自体の自重により）発生する衣類の脱水しわや夏場の内槽内の臭いを軽減することができる。
【００５５】
また、最後が乾燥行程である運転コースを終えた時点で使用者が洗濯乾燥装置の設置場所にいなかった場合にも、情報端末装置にて終了報知を行うので、乾燥後の衣類が内槽内に放置されることにより（衣類自体の自重により）発生する衣類のしわを軽減することができる。
【００５６】
（実施の形態４）
図８は、本実施の形態５における情報端末装置の内部ブロック図、図９は、情報端末装置３５における制御手段３６の要部動作を示すフローチャートである。画面表示設定手段３８は、情報端末装置に運転コースの終了画面を表示するか否かを設定するものであり、運転コースの開始前に表示をするか否かを設定しておく。その他は実施の形態１の構成と同様である。
【００５７】
以上のように構成された洗濯システムについて、以下その動作、作用を説明する。
【００５８】
使用者が（本発明の実施の形態１と同様に）洗濯乾燥装置１の運転コースを開始すると、Ｓ１からＳ１２までの説明は省略するが、Ｓ１８にてあらかじめ画面表示設定手段３８にて設定された設定内容を呼出し、Ｓ１９にて画面表示設定手段３８の設定が終了画面を表示する設定の場合、（運転コースがが短時間の運転であったか否かは関係なく）Ｓ１０にて表示手段２９に運転終了画面２９ｈの表示して終了する。
【００５９】
これにより、二世帯住宅や共同施設にて複数人が洗濯乾燥装置を共同利用するなどの理由から（たとえ使用者が運転の終了を知ったとしても、他の人に対して運転終了を知らしめなければならないケースにて）いかなるばあいにも情報端末装置による運転終了の報知が必要な場合においても、画面表示設定手段の設定により運転終了画面の表示可否を選択することができる。
【００６０】
なお、本実施の形態では洗濯乾燥装置で説明したが、洗濯装置であってもよい。
【００６１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６２】
以上のように、本発明にかかる洗濯システムおよびそのプログラムは、使用者が洗濯装置に付ききりで洗い行程だけを行うなど短時間で終了する運転コースを行った場合には、使用者は目の前の洗濯装置が運転終了したことを容易に知ることが可能となるので、情報端末装置の表示画面にて（わかりきった）運転終了画面を改めて表示させないことにより、余計な運転終了画面を消去する手間も軽減させることから使い勝手の向上が可能となるので、同様にして、情報端末装置にネットワーク接続された電子レンジなどの家電製品の運転操作に応じて、場合によっては（情報端末装置の）表示手段への画面表示を抑制するなどの用途にも適用できる。
【図面の簡単な説明】
【００６３】
【図１】本発明の実施の形態１の洗濯システムのシステムブロック図
【図２】本発明の実施の形態１の洗濯乾燥装置の内部ブロック図
【図３】本発明の実施の形態１の情報端末装置の内部ブロック図
【図４】本発明の実施の形態１の制御手段の動作フローチャート
【図５】本発明の実施の形態２の情報端末装置の内部ブロック図
【図６】本発明の実施の形態２の制御手段の動作フローチャート
【図７】本発明の実施の形態３の制御手段の動作フローチャート
【図８】本発明の実施の形態４の情報端末装置の内部ブロック図
【図９】本発明の実施の形態４の制御手段の動作フローチャート
【図１０】従来の洗濯システムのシステムブロック図
【図１１】従来の洗濯乾燥装置の縦断面図
【図１２】従来の洗濯乾燥装置の内部ブロック図
【図１３】従来の情報端末装置の内部ブロック図
【図１４】従来の情報端末装置の正面図
【図１５】従来の表示手段に表示する機器状態表示画面の図
【図１６】従来の洗濯システムの制御手段の動作フローチャート
【図１７】従来の表示手段に表示する運転終了画面の図
【図１８】従来の表示手段に表示する機器状態表示画面と運転終了画面の図
【符号の説明】
【００６４】
１  洗濯乾燥装置（洗濯装置）
２５  洗濯乾燥制御手段
２８ａ  洗濯乾燥装置のデータ通信手段
２８ｂ  情報端末装置のデータ通信手段
２９  表示手段
３０  入力手段
３１  音声出力手段
３５  情報端末装置
３６  制御手段
３７  比較時間設定手段
３８  画面表示設定手段
【図１】
2005205061.tif 000003
【図２】
2005205061.tif 000004
【図３】
2005205061.tif 000005
【図４】
2005205061.tif 000006
【図５】
2005205061.tif 000007
【図６】
2005205061.tif 000008
【図７】
2005205061.tif 000009
【図８】
2005205061.tif 000010
【図９】
2005205061.tif 000011
【図１０】
2005205061.tif 000012
【図１１】
2005205061.tif 000013
【図１２】
2005205061.tif 000014
【図１３】
2005205061.tif 000015
【図１４】
2005205061.tif 000016
【図１５】
2005205061.tif 000017
【図１６】
2005205061.tif 000018
【図１７】
2005205061.tif 000019
【図１８】
2005205061.tif 000020